(57)【要約】【課題】  印刷面の汚れを防止しつつ、折りローラと印刷紙との間で滑りが生じにくいようにして確実に印刷紙を折りローラ間に引き込み、送り出すことのできる輪転印刷機における折りローラを提供する。【解決手段】  輪転印刷機の折り機に設けられ、折り胴から受け渡された印刷紙に折り目を付けながら二つ折りにする一対の折りローラにおいて、折りローラ１の周面１ａから突出するとともに折りローラ１の軸線Ｃと同方向に延び、印刷紙Ｐの折り目を形成する部分に押圧力を付与する少なくとも一つの凸条４と、この凸条４を除く他の周面１ａに形成され、印刷紙Ｐの表面に接触して、印刷紙Ｐを一対の折りローラ１，１の間から送り出すのに必要な接触抵抗を生じさせる第一の滑り止め部２とを有する。凸条４の表面に第二の滑り止め部５を形成してもよい。【選択図】  図１
2005263368.tif 000002
【特許請求の範囲】
【請求項１】
輪転印刷機の折り機に設けられ、折り胴から受け渡された印刷紙に折り目を付けながら二つ折りにする一対の折りローラにおいて、
前記折りローラの周面から突出するとともに前記折りローラの軸線と同方向に延び、前記印刷紙の折り目を形成する部分に押圧力を付与する少なくとも一つの凸条と、
この凸条を除く他の前記周面に形成され、前記印刷紙の表面に接触して、前記印刷紙を前記一対の折りローラの間から送り出すのに必要な接触抵抗を生じさせる第一の滑り止め部と、
を有することを特徴とする輪転印刷機の折りローラ。
【請求項２】
前記凸条の表面に第二の滑り止め部を形成したことを特徴とする請求項１に記載の輪転印刷機の折りローラ。
【請求項３】
前記印刷紙が新聞紙である場合に、前記凸条の前記周面からの突出高さを、０．０２ｍｍ以上０．１ｍｍ以下としたことを特徴とする請求項１又は２に記載の輪転印刷機の折りローラ。
【請求項４】
前記凸条を、前記折りローラの他の周面よりも高硬度に形成したことを特徴とする請求項１〜３のいずれかに記載の輪転印刷機の折りローラ。
【請求項５】
前記凸条を前記周面に対して着脱可能に取り付けたことを特徴とする請求項１〜４のいずれかに記載の輪転印刷機の折りローラ。
【発明の詳細な説明】
【技術分野】
【０００１】
この発明は、輪転印刷機において片面又は両面に印刷が施された印刷紙を折り畳み、所定のサイズに断裁して排出する折り機に設けられ、折り胴と協働して前記印刷紙を二つ折りにするための折りローラに関する。
【背景技術】
【０００２】
例えば、新聞等の印刷において一般的に使用されている輪転印刷機では、ロール状の巻き取り紙から走行紙を連続的に巻き出し、印刷部で走行紙の片面又は両面に印刷を施した後、レールフレーム部で複数の走行紙の重ね合わせ順を決定し、ガイドレール部又は折機フォーマー部で走行紙を集めて重ね合わせ、折り機で走行紙を新聞一部ごとに断裁し、折り畳んで排出している。
【０００３】
図４は、新聞印刷用の輪転印刷機に設けられる折り機の概略構成を説明する図である。
図４に示すように、折り機１０には走行紙Ｗを幅方向に２つ折りする三角形状のフォーマー１１と、このフォーマー１１の下流側に配置した一対のフォーミングローラ１２と、この一対のフォーミングローラ１２の下流側に配置した少なくとも一対のニッピングローラー１３と、この一対のニッピングローラー１３の下流側に配置した少なくとも一組ののこ胴１４及び折り胴１５と、折り胴１５の下方に配置した一対のフォールディングローラ（折りローラ）１６とを有している。
また、折り機１０の下方には、折り機１０を経て折り畳まれた新聞紙Ｐを受け取るデリバリーファン２１と、このデリバリーファン２１から受け取った新聞紙Ｐを搬出するデリバリーベルト２２とを有する排出装置２０が設けられている。
【０００４】
図５は、図４ののこ胴及び折り胴とフォールディングローラとの構成及び作用を示す概略図である。
折り胴１５は、新聞縦二頁分の長さに等しい円周を有するように形成され、新聞紙Ｐを横に二つ折りするためのゴム台１５２、針１５３、折りブレード１５１が対称位置に二組設けられている。のこ胴１４は、折り胴１５に対峙して設けられ、のこ台１４１及びのこ刃１４２が対称位置に二組設けられている。一般に、折り胴１５とのこ胴１４は同一径に形成されていて、のこ刃１４２とゴム台１５２とが噛み合うように位相が設定されている。
【０００５】
折り胴１５及びのこ胴１４は、共通の駆動体（モータ）によって、同じ回転速度で互いに逆方向に回転する。そして、走行紙Ｗを針１５３で引っかけて引っ張り、のこ刃１４２とゴム台１４１で断裁して、断裁された新聞紙Ｐを、折りブレード１５１とフォールディングローラ１６とで横に二つ折りする。
このフォールディングローラ１６が、新聞紙Ｐの折り目を押しつぶし、四つ折の状態を形成しながら、新聞紙Ｐを送り出す方向（矢印で示す方向）に回転して、その下方に配置したデリバリーファン２１及びデリバリーベルト２２を含む排出装置２０に新聞紙を受け渡し、発送装置などの次工程に送り出す。
【０００６】
ところで、上記したフォールディングローラ１６においては、新聞紙Ｐとフォールディングローラ１６との間の滑りを防止するために、例えば、軸線方向に伸びる溝を全周にわたって複数本形成して滑り止め加工を施しているのが一般的である。
しかし、このような従来のフォールディングローラ１６においては、新聞紙Ｐの印刷面の全体にフォールディングローラ１６の押圧力が一様に作用するため、フォールディングローラ１６の押圧力によって互いに隣り合う複数面の印刷面が押し付けられ、印刷面のインクが互いに転写されて紙面を汚すという問題がある。
【０００７】
このような汚損を防止するために、フォールディングローラの表面に、複数の溝が形成された第一表面部と、平滑面に形成された第二表面部とを周方向に区画して設け、折りブレードによってフォールディングローラ間に押し込まれる印刷紙が、第一表面部により引き込まれて折り目をつけられた後、第二表面部の間で挟まれて搬送されるように、フォールディングローラの位相を設定した技術が提案されている（例えば、特許文献１参照）。
【特許文献１】特開２００３−３００６６７号公報
【０００８】
この文献に記載の技術では、複数の溝が形成された第一表面部が滑り無く印刷紙をフォールディングローラ間に引き込む。そして、第一表面部に連続する第二表面部が、印刷面に押圧力を付与しながら印刷紙を送るが、第二表面部は、印刷紙のインクが付着しにくい平滑面として仕上げられているので、第二表面部が印刷面を汚損するという不都合を防止できる。
【発明の開示】
【発明が解決しようとする課題】
【０００９】
しかし、上記文献に記載の技術では、第二表面部が平滑面として仕上げられているので、印刷紙の印刷面を汚すことがない反面、フォールディングローラと印刷紙との間に滑りが生じやすく、確実に印刷紙を引き込み、送り出すことが困難になるという不具合が発生しやすい。
【００１０】
本発明は、上記の問題点の解決するためになされたもので、フォールディングローラ等の折りローラで印刷紙を二つ折にする際に、前記印刷紙の必要な部分だけを押圧して確実に折り畳み、かつ、印刷面にはなるべく押圧力を付与しないようにして印刷面の汚れを防止しつつ、折りローラと印刷紙との間で滑りが生じにくいようにして確実に印刷紙を折りローラ間に引き込み、送り出すことができ、排紙姿も低下させることのない輪転印刷機における折りローラの提供を目的とする。
【課題を解決するための手段】
【００１１】
上記の課題を解決するために本発明では、請求項１に記載するように、輪転印刷機の折り機に設けられ、折り胴から受け渡された印刷紙に折り目を付けながら二つ折りにする一対の折りローラにおいて、前記折りローラの周面から突出するとともに前記折りローラの軸線と同方向に延び、前記印刷紙の折り目を形成する部分に押圧力を付与する少なくとも一つの凸条と、この凸条を除く他の前記周面に形成され、前記印刷紙の表面に接触して、前記印刷紙を前記一対の折りローラの間から送り出すのに必要な接触抵抗を生じさせる第一の滑り止め部とを有する構成としてある。
【００１２】
この構成によれば、折り胴から折りローラに受け渡された印刷紙は、折り目を形成する部分が、一対の折りローラの対向する凸条に挟持された状態で一対の折りローラの間に引き込まれながら折り目がつけられる。
この後、印刷紙の表面には、折りローラの凸条を除く他の周面部分が接触するが、この周面部分は印刷紙の印刷面に汚れを生じさせない程度の力で軽く接触するだけであり、かつ、前記周面部分には印刷紙を送り出すのに必要な接触抵抗を生じさせる第一の滑り止め部が形成されているので、印刷紙を確実に折りローラの間から送り出すことができる。
また、折りローラから印刷紙を送り出す際に、印刷紙に過剰な押圧力が作用しないため、排出タイミングにずれが生じるという不都合も生じず、排紙姿を低下させるということがない。
【００１３】
なお、折り目をつける際に、凸条と印刷紙との間でも滑りが生じにくいようにするために、請求項２に記載の発明は、前記凸条の表面に第二の滑り止め部を形成している。
前記凸条の高さは、周面との関係で相対的に決定される。凸条の高さが高すぎると、折り目を形成した後に印刷紙と折りローラの周面とが接触できず、あるいは、接触圧が小さすぎて、印刷紙を送り出すことが困難になる。一方、凸条が低すぎると、印刷紙と折りローラの周面部分との接触圧が大きくなって、印刷面を汚損しやすくなる。
そのため、凸条の高さは、折り目を形成するのに十分な押圧力を付与しつつ他の周面部分で前記印刷紙を汚損することなく確実に送り出しを行うことができるものを選択する。具体的には、請求項３に記載するように、前記印刷紙が新聞紙である場合に、前記凸条の前記周面からの高さを、０．０２ｍｍ以上０．１ｍｍ以下とするとよい。
【００１４】
また、凸条は、他の周面部分よりも大きい押圧力で印刷紙に押し付けられるため、硬度が同じであると他の周面部分よりも早く摩耗することになる。そこで、請求項４に記載するように、前記凸条に焼き入れ加工やショットピーニングを施したり、異種材料をメッキするなどの表面処理を行って、前記凸条を他の周面部分よりも高硬度に形成するとよい。
さらに、請求項５に記載するように、前記凸条を前記周面部分に対して着脱可能に取り付けるようにするとよい。このようにすることで、凸条の交換や、シムやスペーサ等を用いての高さ調整が可能になり、凸条が摩耗したり破損したりした場合や、印刷紙の種類や厚みに応じて凸条の高さを変更する必要が生じた場合等に対応することが可能になる。
【発明の効果】
【００１５】
本発明によれば、二つ折にする際に必要な部分だけを押圧して確実に印刷紙を折り畳み、かつ、印刷面にはなるべく押圧力を付与しないようにしているので、印刷面の汚れを防止することができる。また、折りローラと印刷紙との間に滑りが生じにくいので、確実に印刷紙を折りローラの間に引き込み、折りローラの間から送り出すことができる。
【発明を実施するための最良の形態】
【００１６】
［発明の実施の形態］
以下、本発明の好適な実施形態を、図面を参照しながら詳細に説明する。
図１は、本発明の一実施形態にかかり、折りローラの構成を説明する分解斜視図、図２は、図１の折りローラの主要部の断面図である。
なお、この実施形態において印刷紙は新聞紙であるとし、折りローラは、新聞印刷用の輪転印刷機の折り機に設けられるフォールディングローラであるとして説明する。
【００１７】
図１及び図２に示すように、フォールディングローラ１の周面１ａには、フォールディングローラ１の軸線Ｃと同方向に延びる複数の凹溝によって、第一の滑り止め部２が形成されている。また、フォールディングローラ１の周面１ａには、軸線Ｃと同方向に延びる切欠溝３が形成されている。この切欠溝３には、一部が周面１ａから突出するようにブロック４が嵌め込まれ、複数本（図示の例では三本）のボルト６によってフォールディングローラ１に取り付けられる。この実施形態では、周面１ａから突出するブロック４の一部が凸条を形成する。
また、ブロック４の表面は、フォールディングローラ１の周面１ａと同心の曲率を有する部分円弧状に形成されているとともに、折胴ブレードで押し出された新聞紙をフォールディングローラで受け取るために必要な接触抵抗を生じるように、格子状又はダイヤ目状の凹凸によって第二の滑り止め部５が形成されている。
【００１８】
なお、この実施形態では、ボルト６によってブロック４がフォールディングローラ１に対して着脱可能であるので、ブロック４が破損等してもブロック４を交換するだけでよく、また、凸条の高さを調整する必要があある場合にも、シムやスペーサを切欠溝３の底部とブロック４との間に介在させるだけでよいので、部品コストが安いという利点がある。
さらに、駆動機構を分解・組み立ててフォールディングローラ１を交換したり、フォールディングローラ１の交換後にブロック４の位相合わせを行うという手間が省け、メンテナンスの際の工程を減らすことができ、メンテナンス性に優れるという利点がある。
また、ブロック４は、フォールディングローラ１よりも硬質の材料で形成するか、焼き入れ，ショットピーニング，異種材料のメッキ等によってフォールディングローラ１の周面１ａよりも高い硬度に形成するのが好ましい。このようにすることで、ブロック４の耐摩耗性を向上させ、メンテナンス性をさらに向上させることができる。
【００１９】
また、周面１ａからブロック４の突出高さｔは、折り目を形成するのに十分な押圧力を新聞紙Ｐに付与することができ、かつ、新聞紙Ｐを確実に送り出すのに必要な接触抵抗を、第一の滑り止め部２と新聞紙Ｐとの間で生じさせることができるものを選択する。
【００２０】
この高さｔは、印刷物の頁数によって実験や経験値から求めることができるが、新聞印刷においては、０．０２ｍｍ以上０．１ｍｍ以下の範囲内、好ましくは０．０２ｍｍ以上０．０５ｍｍ以下とするとよい。
上記構成のフォールディングローラ１は、互いに対向するように折り胴１５（図５参照）の下方に配置される。そして、ブロック４，４の位相角が正確に１８０°になるように位相合わせが行われた後、フォールディングローラ１を互いに逆方向に同速度で回転させる図示しない駆動機構に取り付けられる。
【００２１】
図３は、上記構成のフォールディングローラの作用を説明する図である。
図３（ａ）に示すように、新聞紙Ｐの中央に位置する新聞紙四つ折部分Ｐａが一対のフォールディングローラ１，１の中間位置に来たときに、折りブレード１５１が新聞紙四つ折部分Ｐａの中央を押してフォールディングローラ１，１の間に押し込む。
このとき、フォールディングローラ１，１の間に押し込まれた新聞紙四つ折部分Ｐａと接触する位置にブロック４が回転してきているので、フォールディングローラ１，１の回転とともに一対のブロック４，４が新聞紙四つ折部分Ｐａを両側から挟持しつつ、新聞紙Ｐをフォールディングローラ１，１の間に引き込む。
【００２２】
図３（ｂ）に示すように、一対のブロック４，４が正対する位置まで回転したときに、新聞紙四つ折部分Ｐａには最大の押圧力が付与され、これにより、新聞紙四つ折部分Ｐａの中央に折り目が形成される。
図３（ｃ）に示すように、フォールディングローラ１，１がさらに回転してブロック４，４が新聞紙四つ折部分Ｐａから離脱すると、ブロック４，４及び第二の滑り止め部５（図１及び図２参照）による新聞紙Ｐの引き込み作用が解除される。このとき、フォールディングローラ１の周面１ａが印刷面Ｐｂに接触しているが、周面１ａには第一の滑り止め部２（図１及び図２参照）が形成されているので、第一の滑り止め部２と新聞紙Ｐとの接触抵抗により、確実に新聞紙Ｐをフォールディングローラ１，１から送り出すことができる。
【００２３】
また、周面１ａと印刷面Ｐｂとは、適切に選択されたブロック４，４の高さｔによって軽く接触しているだけなので、印刷面Ｐｂが汚損されるということもない。
さらに、フォールディングローラ１，１から新聞紙Ｐを送り出す際に、新聞紙Ｐに過剰な押圧力が作用しないため、排出タイミングにずれが生じるという不都合も生じない。
【００２４】
本発明の好適な実施形態について説明したが、本発明は上記の説明に限定されるものではない。
例えば、上記の説明では、第一の滑り止め部２が軸線Ｃと同方向に延びる凹溝からなり、第二の滑り止め部５が格子状の凹凸からなるものとして説明したが、第一の滑り止め部２及び第二の滑り止め部５は上記以外の形態のものであってもよく、また、第一の滑り止め部２と第二の滑り止め部５とが同一の形態のものであってもよい。
【００２５】
また、第二の滑り止め部５を形成しなくても、ブロック４と新聞紙Ｐとの間で滑りが生じないのであれば、第二の滑り止め部５は特に設けなくてもよい。
さらに、上記の説明では、フォールディングローラ１に対してブロック４を着脱可能に取り付けることで凸条を設けているが、使用される新聞用紙の紙厚や剛性、インクの浸透性等の特性に合わせて、例えば格子状の凹凸など、他の形態の表面加工を施してもよい。
【産業上の利用可能性】
【００２６】
本発明は、印刷が施された印刷紙を、折り機の折りローラで二つ折りにするのであれば、新聞印刷用の輪転印刷機の折り機に限らず、あらゆる種類の輪転印刷機の折り機に適用が可能である。
【図面の簡単な説明】
【００２７】
【図１】本発明の一実施形態にかかり、折りローラの構成を説明する分解斜視図である。
【図２】図１の折りローラの主要部の断面図である。
【図３】フォールディングローラによる作用を説明する図である。
【図４】新聞印刷用の輪転印刷機に設けられる折り機の概略構成を説明する図である。
【図５】図４ののこ胴及び折り胴とフォールディングローラとの構成及び作用を示す概略図である。
【符号の説明】
【００２８】
１  フォールディングローラ（折りローラ）
１ａ  周面
２  第一の滑り止め部
３  切欠溝
４  ブロック
５  第二の滑り止め部
６  ボルト
Ｗ  走行紙
Ｐ  新聞紙（印刷紙）
【図１】
2005263368.tif 000003
【図２】
2005263368.tif 000004
【図３】
2005263368.tif 000005
【図４】
2005263368.tif 000006
【図５】
2005263368.tif 000007